(57)【要約】【課題】  送り主の名前と一緒に家紋を表示することにより従来のような味気無さを排除し、十分な風格や品格を醸し出す。【解決手段】  台板部２の前面に設けた表示面２ｆに送り主の名前Ｎを表示して供物２０に付ける供物用名札１を構成するに際して、名前Ｎを表示した表示面２ｆに、名前Ｎと一緒に家紋Ｃを表示する。家紋Ｃは、台板部２の上端に設けた庇部１１の下に表示するとともに、表示面２ｆには、家紋Ｃを表示した家紋表示シート１２を着脱可能に保持する保持部１３を設けることができる。【選択図】  図１
0003121284.tif 000002
【実用新案登録請求の範囲】
【請求項１】
台板部の前面に設けた表示面に送り主の名前を表示して供物に付ける供物用名札において、前記名前を表示した前記表示面に、前記名前と一緒に家紋を表示してなることを特徴とする供物用名札。
【請求項２】
前記家紋は、前記台板部の上端に設けた庇部の下に表示することを特徴とする請求項１記載の供物用名札。
【請求項３】
前記表示面には、前記家紋を表示した家紋表示シートを着脱可能に保持する保持部を設けることを特徴とする請求項１又は２記載の供物用名札。
【考案の詳細な説明】
【技術分野】
【０００１】
本考案は、送り主の名前を表示して葬儀に飾る供物（生花等）に付ける供物用名札に関する。
【背景技術】
【０００２】
一般に、葬儀においては生花や果物などの供物を飾付けるとともに、この供物には送り主の名前を表示した名札を付けている。
【０００３】
従来、このような供物に用いる名札（供物用名札）としては、実登３０７４６３８号公報で開示される名札が知られている。この名札は、頂部を山型とした所定形状に形成した台板部における表面の両側辺並びに底辺に、細幅板と表面に木目印刷を施した太幅板を積層接着して表示紙挿入溝を形成した台板部と、この台板部の表面を覆い、かつ挿入溝に嵌合できる大きさで、表面に木目印刷を施した氏名表示紙と、台板部の頂部に庇状に装着して氏名表示紙の抜出を防止した庇体とで構成したものである。
【特許文献１】実登３０７４６３８号
【考案の開示】
【考案が解決しようとする課題】
【０００４】
しかし、上述した従来の供物用名札は、台板部の上端に庇部を設けるなど、ある程度の風格を高める考慮はされているものの、台板部には、氏名表示紙を用いて送り主の名前を表示するに留まるため、全体に味気が無く、風格や品格を醸し出す観点からは、未だ十分とは言えない課題が存在した。
【０００５】
本考案は、このような背景技術に存在する課題を解決した供物用名札の提供を目的とするものである。
【課題を解決するための手段】
【０００６】
本考案は、上述した課題を解決するため、台板部２の前面に設けた表示面２ｆに送り主の名前Ｎを表示して供物２０に付ける供物用名札１を構成するに際して、名前Ｎを表示した表示面２ｆに、名前Ｎと一緒に家紋Ｃを表示してなることを特徴とする。
【０００７】
この場合、考案の好適な態様により、家紋Ｃは、台板部２の上端に設けた庇部１１の下に表示することができる。また、表示面２ｆには、家紋Ｃを表示した家紋表示シート１２を着脱可能に保持する保持部１３を設けることができる。
【考案の効果】
【０００８】
このような構成を有する本考案に係る供物用名札１によれば、次のような顕著な効果を奏する。
【０００９】
（１）  送り主の名前Ｎを表示した表示面２ｆに名前Ｎと一緒に家紋Ｃを表示するため、従来のような味気無さを排除し、十分な風格や品格を醸し出すことができる。
【００１０】
（２）  好適な態様により、家紋Ｃを、台板部２の上端に設けた庇部１１の下に表示すれば、風格や品格をより高めることができる。即ち、歴史のある旧来の民家では、屋根の上に家紋を付けることが行われてきたが、台板部２の上端に庇部１１を有する供物用名札１の場合、この庇部１１の下に家紋Ｃを表示することにより、台板部２の上部の雰囲気は、旧来の民家を彷彿させるものとなり、庇部１１と家紋Ｃの組合わせによる相乗効果によって風格や品格をより高めることができる。
【００１１】
（３）  好適な態様により、表示面２ｆに、家紋Ｃを表示した家紋表示シート１２を着脱可能に保持する保持部１３を設ければ、家紋Ｃを着脱する際に台板部２を傷める不具合を回避できるとともに、保持部１３に、例えば、金縁部分を設けるなどにより、更なる風格や品格の向上に貢献できる。
【考案を実施するための最良の形態】
【００１２】
次に、本考案に係る最良の実施形態を挙げ、図面に基づき詳細に説明する。
【００１３】
まず、本実施形態に係る供物用名札１の全体の構成について、図１を参照して具体的に説明する。
【００１４】
図１は、本実施形態に係る供物用名札１の全体構成を示している。２は台板部であり、上下に長い長方形の木製平板により形成するとともに、上端辺は山形に形成する。したがって、台板部２の全体形状は台形になる。また、台板部２の上端には、屋根型に形成した庇部１１を取付けるとともに、台板部２の裏面には脚棒部２１の上端を固定し、この脚棒部２１は台板部２の下方に突出させる。
【００１５】
一方、台板部２の前面は、表示面２ｆとなり、この表示面２ｆには、図１に示すように、名前Ｎを表示した上下に長い長方形の名前用紙２２を貼付けることができる。表示面２ｆに名前用紙２２を貼付けた場合、この名前用紙２２の上端と庇部１１間における表示面２ｆは、空いた状態の空表示面２ｆｏとなる。そこで、この空表示面２ｆｏを利用して家紋Ｃを表示する。これにより、この家紋Ｃは、名前Ｎと一緒に表示されることになる。
【００１６】
次に、供物用名札１における家紋Ｃの表示形態について、図２〜図４を参照して具体的に説明する。
【００１７】
家紋Ｃの表示に際しては、家紋Ｃを印刷した家紋表示シート１２を利用できる。この家紋表示シート１２は、図４に示すように、パソコン（パーソナルコンピュータ）５１及びプリンタ５２を利用して印刷する。この場合、パソコン５１は、各種家紋画像を有するデータベースＤを備えており、データベースＤから所望の家紋Ｃを選択し、プリンタ５２により印刷すれば、目的の家紋表示シート１２を容易に製作できる。
【００１８】
家紋表示シート１２は、上述した空表示面２ｆｏに対して、各種取付手段により取付けることができる。例えば、比較的簡易な取付手段としては、家紋表示シート１２の裏面に両面粘着テープを貼付け、この両面粘着テープにより空表示面２ｆｏに貼付けることができる。
【００１９】
他方、図２及び図３は、より望ましい取付手段を示す。図２及び図３は、いずれも空表示面２ｆｏに、家紋表示シート１２を着脱可能に保持する保持部１３を設けたものである。図２に示す保持部１３は、円盤状に形成した保持基部３２を備える。この保持基部３２は、裏面から突出するネジ付きのピン部３２ｂを有し、このピン部３２ｂを、台板部２に形成した取付孔３１に挿入するとともに、このピン部３２ｂに対して台板部２の裏面側からナット３３を螺着する。これにより、保持基部３２を台板部２に固定できる。また、保持基部３２に対して着脱する保持リング３４を備え、この保持リング３４により、保持基部３２の表面に重ねた家紋表示シート１２及び透明カバー３５を保持する。この場合、保持リング３４は、前端に保持用のフランジ部３４ｆを一体に有するとともに、内周面に形成した雌ネジ部３４ｎを有し、この雌ネジ部３４ｎが保持基部３２の外周面に設けた雄ネジ部３２ｎに着脱する。さらに、保持リング３４の外面には金メッキを施すことが望ましい。これにより、保持リング３４は、金縁となり、更なる風格や品格の向上に貢献できる。このような保持部１３を設ければ、家紋Ｃ（家紋表示シート１２）を台板部２に対して着脱させる際に、台板部２を傷める不具合を回避できる。
【００２０】
一方、図３に示す保持部１３は、円盤状に形成した保持基部３６を備える。この保持基部３６は、裏面から突出するピン部３６ｓを有し、このピン部３６ｓを、台板部２に形成した取付孔３１に挿入することにより接着剤等により固定する。そして、裏面に粘着部１２ｓを有する家紋表示シート１２を用意し、この家紋表示シート１２を保持基部３６の表面に貼付けることができる。この場合、家紋表示シート１２は、保持基部３６の表面に対して自由に貼り替え可能である。また、保持基部３６の外面に金メッキを施すとともに、保持基部３６の直径を家紋表示シート１２の直径より大きく選定し、家紋表示シート１２を保持基部３６に貼付けた際に、家紋表示シート１２の周りに保持基部３６の周縁側の一部が露出するようにすれば、この露出部分を金縁面３６ｆとして利用できるため、図２の場合と同様に、更なる風格や品格の向上に貢献できる。さらに、家紋Ｃ、即ち、家紋表示シート１２を台板部２に対して着脱する際における台板部２を傷める不具合を回避できる点は、図２の場合と同じである。
【００２１】
図５は、本実施形態に係る供物用名札１を、生花２０ｆ（供物２０）に実際に付けた状態を示している。例示の生花２０ｆは、スタンド４１により支持されており、供物用名札１は、脚棒部２１を利用して生花２０ｆの上に起立させることができる。
【００２２】
このように、本実施形態に係る供物用名札１は、送り主の名前Ｎを表示した表示面２ｆに、名前Ｎと一緒に家紋Ｃを表示するようにしたため、従来のような味気無さを排除し、十分な風格や品格を醸し出すことができる。特に、家紋Ｃを、台板部２の上端に設けた庇部１１の下に表示するため、台板部２の上部の雰囲気は、旧来の民家を彷彿させるものとなり、庇部１１と家紋Ｃの組合わせによる相乗効果によって風格や品格をより高めることができる。
【００２３】
以上、最良の実施形態について詳細に説明したが、本考案は、このような実施形態に限定されるものではなく、細部の構成，形状，素材等において、本考案の要旨を逸脱しない範囲で、任意に変更，追加，削除することができる。
【００２４】
例えば、供物２０として生花２０ｆを例示したが、供物２０は、果物や造花等であってもよいし、他の異なる種類の供物であってもよい。また、家紋Ｃとして、パソコン５１及びプリンタ５２により印刷した家紋表示シート１２を利用した場合を示したが、各種形態の家紋を用いることができる。特に、例示した家紋表示シート１２は、紙に印刷するため、使い捨てとなるが、予め、金属素材やプラスチック素材などにより、立体感があり、かつ繰返し使用できる家紋Ｃを製作し、台板部２に設けたマグネットや支持部等に着脱する構成により実施することもできる。
【図面の簡単な説明】
【００２５】
【図１】本考案の最良の実施形態に係る供物用名札の正面図、
【図２】同供物用名札に用いる保持部の分解図を含む断面側面図、
【図３】同供物用名札に用いる他の保持部の分解図を含む断面側面図、
【図４】同供物用名札に用いる家紋表示シートの製作方法の説明図、
【図５】同供物用名札の使用状態を示す正面図、
【符号の説明】
【００２６】
１    供物用名札
２    台板部
２ｆ  表示面
１１  庇部
１２  家紋表示シート
１３  保持部
２０  供物
Ｎ    名前
Ｃ    家紋
【図１】
0003121284.tif 000003
【図２】
0003121284.tif 000004
【図３】
0003121284.tif 000005
【図４】
0003121284.tif 000006
【図５】
0003121284.tif 000007
【手続補正書】
【提出日】平成18年2月28日(2006.2.28)
【手続補正１】
【補正対象書類名】実用新案登録請求の範囲
【補正対象項目名】全文
【補正方法】変更
【補正の内容】
【実用新案登録請求の範囲】
【請求項１】
台板部の前面に設けた表示面に送り主の名前を表示して供物に付ける供物用名札において、前記名前を表示した前記表示面であって、前記台板部の上端に設けた庇部の下に、前記名前と一緒に家紋を表示してなることを特徴とする供物用名札。
【請求項２】
前記表示面には、前記家紋を表示した家紋表示シートを着脱可能に保持する保持部を設けることを特徴とする請求項１記載の供物用名札。
【手続補正２】
【補正対象書類名】明細書
【補正対象項目名】全文
【補正方法】変更
【補正の内容】
【考案の詳細な説明】
【技術分野】
【０００１】
本考案は、送り主の名前を表示して葬儀に飾る供物（生花等）に付ける供物用名札に関する。
【背景技術】
【０００２】
一般に、葬儀においては生花や果物などの供物を飾付けるとともに、この供物には送り主の名前を表示した名札を付けている。
【０００３】
従来、このような供物に用いる名札（供物用名札）としては、実登３０７４６３８号公報で開示される名札が知られている。この名札は、頂部を山型とした所定形状に形成した台板部における表面の両側辺並びに底辺に、細幅板と表面に木目印刷を施した太幅板を積層接着して表示紙挿入溝を形成した台板部と、この台板部の表面を覆い、かつ挿入溝に嵌合できる大きさで、表面に木目印刷を施した氏名表示紙と、台板部の頂部に庇状に装着して氏名表示紙の抜出を防止した庇体とで構成したものである。
【特許文献１】実登３０７４６３８号
【考案の開示】
【考案が解決しようとする課題】
【０００４】
しかし、上述した従来の供物用名札は、台板部の上端に庇部を設けるなど、ある程度の風格を高める考慮はされているものの、台板部には、氏名表示紙を用いて送り主の名前を表示するに留まるため、全体に味気が無く、風格や品格を醸し出す観点からは、未だ十分とは言えない課題が存在した。
【０００５】
本考案は、このような背景技術に存在する課題を解決した供物用名札の提供を目的とするものである。
【課題を解決するための手段】
【０００６】
本考案は、上述した課題を解決するため、台板部２の前面に設けた表示面２ｆに送り主の名前Ｎを表示して供物２０に付ける供物用名札１を構成するに際して、名前Ｎを表示した表示面２ｆであって、台板部２の上端に設けた庇部１１の下に、名前Ｎと一緒に家紋Ｃを表示してなることを特徴とする。
【０００７】
この場合、考案の好適な態様により、表示面２ｆには、家紋Ｃを表示した家紋表示シート１２を着脱可能に保持する保持部１３を設けることができる。
【考案の効果】
【０００８】
このような構成を有する本考案に係る供物用名札１によれば、次のような顕著な効果を奏する。
【０００９】
（１）  送り主の名前Ｎを表示した表示面２ｆに名前Ｎと一緒に家紋Ｃを表示するため、従来のような味気無さを排除し、十分な風格や品格を醸し出すことができる。
【００１０】
（２）  家紋Ｃを、台板部２の上端に設けた庇部１１の下に表示したため、風格や品格をより高めることができる。即ち、歴史のある旧来の民家では、屋根の上に家紋を付けることが行われてきたが、台板部２の上端に庇部１１を有する供物用名札１の場合、この庇部１１の下に家紋Ｃを表示することにより、台板部２の上部の雰囲気は、旧来の民家を彷彿させるものとなり、庇部１１と家紋Ｃの組合わせによる相乗効果によって風格や品格をより高めることができる。
【００１１】
（３）  好適な態様により、表示面２ｆに、家紋Ｃを表示した家紋表示シート１２を着脱可能に保持する保持部１３を設ければ、家紋Ｃを着脱する際に台板部２を傷める不具合を回避できるとともに、保持部１３に、例えば、金縁部分を設けるなどにより、更なる風格や品格の向上に貢献できる。
【考案を実施するための最良の形態】
【００１２】
次に、本考案に係る最良の実施形態を挙げ、図面に基づき詳細に説明する。
【００１３】
まず、本実施形態に係る供物用名札１の全体の構成について、図１を参照して具体的に説明する。
【００１４】
図１は、本実施形態に係る供物用名札１の全体構成を示している。２は台板部であり、上下に長い長方形の木製平板により形成するとともに、上端辺は山形に形成する。したがって、台板部２の全体形状は台形になる。また、台板部２の上端には、屋根型に形成した庇部１１を取付けるとともに、台板部２の裏面には脚棒部２１の上端を固定し、この脚棒部２１は台板部２の下方に突出させる。
【００１５】
一方、台板部２の前面は、表示面２ｆとなり、この表示面２ｆには、図１に示すように、名前Ｎを表示した上下に長い長方形の名前用紙２２を貼付けることができる。表示面２ｆに名前用紙２２を貼付けた場合、この名前用紙２２の上端と庇部１１間における表示面２ｆは、空いた状態の空表示面２ｆｏとなる。そこで、この空表示面２ｆｏを利用して家紋Ｃを表示する。これにより、この家紋Ｃは、名前Ｎと一緒に表示されることになる。
【００１６】
次に、供物用名札１における家紋Ｃの表示形態について、図２〜図４を参照して具体的に説明する。
【００１７】
家紋Ｃの表示に際しては、家紋Ｃを印刷した家紋表示シート１２を利用できる。この家紋表示シート１２は、図４に示すように、パソコン（パーソナルコンピュータ）５１及びプリンタ５２を利用して印刷する。この場合、パソコン５１は、各種家紋画像を有するデータベースＤを備えており、データベースＤから所望の家紋Ｃを選択し、プリンタ５２により印刷すれば、目的の家紋表示シート１２を容易に製作できる。
【００１８】
家紋表示シート１２は、上述した空表示面２ｆｏに対して、各種取付手段により取付けることができる。例えば、比較的簡易な取付手段としては、家紋表示シート１２の裏面に両面粘着テープを貼付け、この両面粘着テープにより空表示面２ｆｏに貼付けることができる。
【００１９】
他方、図２及び図３は、より望ましい取付手段を示す。図２及び図３は、いずれも空表示面２ｆｏに、家紋表示シート１２を着脱可能に保持する保持部１３を設けたものである。図２に示す保持部１３は、円盤状に形成した保持基部３２を備える。この保持基部３２は、裏面から突出するネジ付きのピン部３２ｂを有し、このピン部３２ｂを、台板部２に形成した取付孔３１に挿入するとともに、このピン部３２ｂに対して台板部２の裏面側からナット３３を螺着する。これにより、保持基部３２を台板部２に固定できる。また、保持基部３２に対して着脱する保持リング３４を備え、この保持リング３４により、保持基部３２の表面に重ねた家紋表示シート１２及び透明カバー３５を保持する。この場合、保持リング３４は、前端に保持用のフランジ部３４ｆを一体に有するとともに、内周面に形成した雌ネジ部３４ｎを有し、この雌ネジ部３４ｎが保持基部３２の外周面に設けた雄ネジ部３２ｎに着脱する。さらに、保持リング３４の外面には金メッキを施すことが望ましい。これにより、保持リング３４は、金縁となり、更なる風格や品格の向上に貢献できる。このような保持部１３を設ければ、家紋Ｃ（家紋表示シート１２）を台板部２に対して着脱させる際に、台板部２を傷める不具合を回避できる。
【００２０】
一方、図３に示す保持部１３は、円盤状に形成した保持基部３６を備える。この保持基部３６は、裏面から突出するピン部３６ｓを有し、このピン部３６ｓを、台板部２に形成した取付孔３１に挿入することにより接着剤等により固定する。そして、裏面に粘着部１２ｓを有する家紋表示シート１２を用意し、この家紋表示シート１２を保持基部３６の表面に貼付けることができる。この場合、家紋表示シート１２は、保持基部３６の表面に対して自由に貼り替え可能である。また、保持基部３６の外面に金メッキを施すとともに、保持基部３６の直径を家紋表示シート１２の直径より大きく選定し、家紋表示シート１２を保持基部３６に貼付けた際に、家紋表示シート１２の周りに保持基部３６の周縁側の一部が露出するようにすれば、この露出部分を金縁面３６ｆとして利用できるため、図２の場合と同様に、更なる風格や品格の向上に貢献できる。さらに、家紋Ｃ、即ち、家紋表示シート１２を台板部２に対して着脱する際における台板部２を傷める不具合を回避できる点は、図２の場合と同じである。
【００２１】
図５は、本実施形態に係る供物用名札１を、生花２０ｆ（供物２０）に実際に付けた状態を示している。例示の生花２０ｆは、スタンド４１により支持されており、供物用名札１は、脚棒部２１を利用して生花２０ｆの上に起立させることができる。
【００２２】
このように、本実施形態に係る供物用名札１は、送り主の名前Ｎを表示した表示面２ｆに、名前Ｎと一緒に家紋Ｃを表示するようにしたため、従来のような味気無さを排除し、十分な風格や品格を醸し出すことができる。特に、家紋Ｃを、台板部２の上端に設けた庇部１１の下に表示するため、台板部２の上部の雰囲気は、旧来の民家を彷彿させるものとなり、庇部１１と家紋Ｃの組合わせによる相乗効果によって風格や品格をより高めることができる。
【００２３】
以上、最良の実施形態について詳細に説明したが、本考案は、このような実施形態に限定されるものではなく、細部の構成，形状，素材等において、本考案の要旨を逸脱しない範囲で、任意に変更，追加，削除することができる。
【００２４】
例えば、供物２０として生花２０ｆを例示したが、供物２０は、果物や造花等であってもよいし、他の異なる種類の供物であってもよい。また、家紋Ｃとして、パソコン５１及びプリンタ５２により印刷した家紋表示シート１２を利用した場合を示したが、各種形態の家紋を用いることができる。特に、例示した家紋表示シート１２は、紙に印刷するため、使い捨てとなるが、予め、金属素材やプラスチック素材などにより、立体感があり、かつ繰返し使用できる家紋Ｃを製作し、台板部２に設けたマグネットや支持部等に着脱する構成により実施することもできる。
【図面の簡単な説明】
【００２５】
【図１】本考案の最良の実施形態に係る供物用名札の正面図、
【図２】同供物用名札に用いる保持部の分解図を含む断面側面図、
【図３】同供物用名札に用いる他の保持部の分解図を含む断面側面図、
【図４】同供物用名札に用いる家紋表示シートの製作方法の説明図、
【図５】同供物用名札の使用状態を示す正面図、
【符号の説明】
【００２６】
１    供物用名札
２    台板部
２ｆ  表示面
１１  庇部
１２  家紋表示シート
１３  保持部
２０  供物
Ｎ    名前
Ｃ    家紋